(57)【要約】    【課題】本発明は、切開手術が最小限となり、かつ、微調整が容易に行えるガイドピン案内治具の提供を目的とする。    【解決手段】本発明に係るガイドピン案内治具１０は、握り部１１ｂを有するハンドル部１１の先端１１ａにガイドピン挿入用の主案内筒１２を設け、該主案内筒１２の側面に支承ピン１３を設けてなり、支承ピン１３は、主案内筒１２における支承ピン１３の取付位置１３ｂと主案内筒の先端１２ｂと支承ピンの先端１３ａとがなす三角形において、主案内筒の先端１２ｂと支承ピンの先端１３ａとを結ぶ線ｂと主案内筒１２とにより挟まれる角度γと、主案内筒の先端１２ｂと支承ピンの先端１３ａとを結ぶ線ｂと支承ピン１３とにより挟まれる角度δとがともに９０度以下の範囲に構成されているものである。    【選択図】        図１
2008093055.tif 000002
【特許請求の範囲】
【請求項１】
握り部を有するハンドル部の先端にガイドピン挿入用の主案内筒を設け、該主案内筒の側面に支承ピンを設けてなることを特徴とするガイドピン案内治具。
【請求項２】
支承ピンは、主案内筒における支承ピンの取付位置と主案内筒の先端と支承ピンの先端とがなす三角形において、主案内筒の先端と支承ピンの先端とを結ぶ線と主案内筒とにより挟まれる角度と、主案内筒の先端と支承ピンの先端とを結ぶ線と支承ピンとにより挟まれる角度とがともに９０度以下の範囲に構成されていることを特徴とする請求項１に記載のガイドピン案内治具。
【請求項３】
主案内筒に平行な副案内筒をハンドル部先端に着脱自在に設けたことを特徴とする請求項１又は２に記載のガイドピン案内治具。
【請求項４】
主案内筒が、前進方向への付勢力を保持しつつ後退可能に構成されていることを特徴とする請求項３に記載のガイドピン案内治具。
【請求項５】
主案内筒の先端に刻み目が形成されていることを特徴とする請求項１〜４のいずれか１項に記載のガイドピン案内治具。
【請求項６】
副案内筒の先端に刻み目が形成されていることを特徴とする請求項３〜５のいずれか１項に記載のガイドピン案内治具。
【請求項７】
主案内筒の先端に突出爪が形成されていることを特徴とする請求項１〜６のいずれか１項に記載のガイドピン案内治具。
【請求項８】
副案内筒の先端に突出爪が形成されていることを特徴とする請求項３〜７のいずれか１項に記載のガイドピン案内治具。
【請求項９】
ハンドル部における握り部の軸線の延長線と、主案内筒の先端と支承ピンの先端とを結ぶ線分とが交差するようにハンドル部を形成したことを特徴とする請求項１〜８のいずれか１項に記載のガイドピン案内治具。
【発明の詳細な説明】
【技術分野】
【０００１】
本発明は、骨折の治療において、インプラントを骨内に螺入する前に骨内に刺入するガイドピンを案内するための治具に関する。
【背景技術】
【０００２】
骨折の治療において、骨内にスクリューなどの骨接合材料を入れて骨折部を固定する方法が一般に行われている。
【０００３】
例えば、大腿骨頸部付近が骨折したり、亀裂が入った場合などの治療方法として、骨折したり亀裂の入った大腿骨の骨頭部と頸部との間にラグスクリュー等のインプラントを螺入することにより骨折部又は亀裂部を接合固定する手術が行われている。この手術は、インプラントを骨内に螺入する前に、インプラントの螺入を案内するためのガイドピンが大腿骨の大転子下部から骨頭中心部に刺入される。このガイドピンの刺入に関しては、骨内への刺入方向と位置との正確性が要求され、この正確性の高さがインプラントによる良好な骨接合効果をもたらす。
【０００４】
案内治具を使用してガイドピンを適切刺入する際には、Ｘ線透視装置を用いてその刺入方向を決定する。このとき、大腿骨の正面から正面像透視を行い、側面から側面像透視を行い、時には斜めから斜位像透視を行って、ガイドピンの刺入方向が大腿骨頭内の適切な方向に向かっているかどうかを評価し、これが大腿骨頭内の適切な方向に向かっていない場合には、刺入方向を微調整する。このガイドピンの刺入位置が治療成績を左右する重要な要因となる。
【０００５】
従来、ガイドピン刺入のための案内治具としては、板状のベース部とハンドル部と、該ベース部とハンドル部との間に所定角度で架け渡されたガイド筒とからなるものが使用され、ガイド筒が、ガイドピンの骨内刺入の方向及び位置が適正となるようにベース部を大腿骨にあてがって、ガイド筒にガイドピンを挿入し、骨内に刺入していくという技法がとられている（特許文献１及び２）。また、ベース部を三角状に形成し、その内部にガイド穴を形成した案内治具が使用され、ガイドピンの骨内刺入の方向及び位置が適正となるガイド穴の位置が固定されるようにベース部を大腿骨にあてがって、ガイド穴にガイドピンを挿入し、骨内に刺入していくという技法がとられている（特許文献３〜６）。
【特許文献１】特開２００３−３３９７２７号公報
【特許文献２】特開２００５−２０５０５８号公報
【特許文献３】特開平９−２２０２３５号公報
【特許文献４】特開２００４−１６４６３号公報
【特許文献５】特開２００４−９７４４７号公報
【特許文献６】特開２００４−３５８０５７号公報
【発明の開示】
【発明が解決しようとする課題】
【０００６】
しかしながら、特許文献１〜６に示されるガイドピン案内治具は、いずれもベース部が大きくなるため、これを大腿骨にあてがうための切開部が大きくなるのみならず、骨に付着する筋などの軟部組織を広範に剥離する必要があるが、このような手術は治具を骨に接触させるためにだけ行うものであるため侵襲が大きくなる欠点がある。また、このベース部により一旦位置決めを行うと、微調整が困難となるばかりではなく、本来、面接触を予定した構成であるにもかかわらず、ベース部が接触する大腿骨の側面との不一致によりかえって滑りやすくなり、しかも隙間が生じて軟部組織が介在しやすくなるというが欠点がある。また、ベース部と大腿骨の側面とが予定通りに面接触する場合には、刺入角度は一定に保たれることになるが、必要に応じて大腿骨に押し付ける方向が異なる場合には、大腿骨と案内軸との接触位置がずれるため、円筒形である大腿骨と平面又は大腿骨表面の曲率とは異なる曲面を持った三角形の案内治具の接触面が変化するので、刺入方向が狂いやすい欠点がある。さらに面接触を予定するものであるため、操作中に治具の方向が変化しても、その変化が手の感触として触知し難いという欠点がある。
【０００７】
一方、単筒型の案内治具では、点接触であるため、滑りの防止は期待できるが、Ｘ線透視で正面像を確認し、次いで側面像を確認していくという過程で、方向が狂いやすいという欠点があり、Ｘ線透視下において、正面像で刺入方向を調節した後、側面像で案内治具の方向を調節すると、正面像及び側面像双方において刺入角度方向が変わり、正面像及び側面像において共に刺入方向及び案内治具の方向を再度調節する必要が生ずるという欠点を有している。
【０００８】
そこで、本発明者は、鋭意研究を重ねた結果、切開手術が最小限となり、かつ、微調整が容易に行えるガイドピン案内治具を開発した。
【課題を解決するための手段】
【０００９】
本発明に係るガイドピン案内治具は、握り部を有するハンドル部の先端にガイドピン挿入用の主案内筒を設け、該主案内筒の側面に支承ピンを設けてなることを特徴とするするものである。具体的な構成として、支承ピンは、主案内筒における支承ピンの取付位置と主案内筒の先端と支承ピンの先端とがなす三角形において、主案内筒の先端と支承ピンの先端とを結ぶ線と主案内筒とにより挟まれる角度と、主案内筒の先端と支承ピンの先端とを結ぶ線と支承ピンとにより挟まれる角度とがともに９０度以下の範囲に構成されていることが好ましい。
【００１０】
このように構成したことにより、主案内筒と支承ピンとを大腿骨の適切な位置にあてがうことによって、主案内筒は所定の角度をもって適切な方向に維持され、主案内筒に挿入されたガイドピンが所定の方向をもって骨内に刺入されることになる。したがって、主案内筒から支承ピンまでを切開するだけの手術でガイドピンを骨内に刺入することが可能となる。また、支承ピン及び主案内筒は大腿骨に点接触しているだけであるため、支承ピン及び主案内筒の大腿骨に対する当接位置を容易に変えることが可能であり、ガイドピンの刺入方向を微調整することができる。
【００１１】
また、主案内筒に平行な副案内筒をハンドル部先端に着脱自在に設けた構成としてもよく、その場合には、少なくとも２本のガイドピンを骨内に刺入することができるので便利である。
【００１２】
さらに、主案内筒に平行な副案内筒を設ける場合に、主案内筒が、前進方向への付勢力を保持しつつ後退可能に構成されるようにしてもよい。このように構成した場合には、ハンドル部先端から主案内筒が大腿骨に当接する距離と副案内筒が大腿骨に当接する距離とが異なっても、主案内筒を後退させることにより主案内筒と副案内筒との両方の先端を大腿骨に当接させることが可能となり、ガイドピンの骨内刺入に効果的である。
【００１３】
さらにまた、主案内筒及び／又は副案内筒の先端に刻み目が形成されている構成としてもよく、その場合には、大腿骨に対する主案内筒及び／又は副案内筒の先端の滑りを防止することができる。
【００１４】
また、主案内筒及び／又は副案内筒の先端に突出爪を形成した場合には、仮に主案内筒及び／又は副案内筒の先端と大腿骨との間に隙間が生ずることがあっても、該突出爪が大腿骨に対してストッパ的役割を果たすと共に、ガイドピン案内治具に挿通されるガイドピンの先端が屈曲して隙間から抜け出したり跳ね上がることを防止することができる。
【００１５】
さらにハンドル部における握り部の軸線の延長線と、主案内筒の先端と支承ピンの先端とを結ぶ線分とが交差するようにハンドル部を形成した構成とすれば、握り部を押し出した場合の押出力が主案内筒の先端と支承ピンの先端とを結ぶ線分の範囲内で作用するため、主案内筒及び支承ピンが確実に固定できて操作しやすい利点がある。
【発明の効果】
【００１６】
本発明に係るガイドピン案内治具は、上記したところから、切開手術が最小限となり、かつ、微調整を容易に行うことができる優れた利点がある。
【発明を実施するための最良の形態】
【００１７】
以下に、本発明の好適な実施例を添付の図面に基づいて詳細に説明する。
【実施例１】
【００１８】
図１は本実施例に係るガイドピン案内治具の斜視図であり、図２は当該ガイドピン案内治具の主要部の断面図であり、図３は主案内筒の先端部拡大斜視図であり、図４は当該ガイドピン案内治具の使用状態を示す側面図であり、図５は当該ガイドピン案内治具の使用状態をハンドル部側から見た概略斜視図である。
【００１９】
図１及び図２において、１０はガイドピン案内治具であり、ハンドル部１１の先端部１１ａにガイドピン挿入用の主案内筒１２が設けられている。ハンドル部１１は、握りやすさ及び操作のしやすさを考慮し、屈曲させたり、また、捻れさせたりして主案内筒１２に結合されている。本実施例におけるハンドル部１１は、その先端部１１ａの位置で一度屈曲し、適宜の長さ位置でさらに屈曲して握り部１１ｂを形成した形状をなしている。前記握り部１１ｂは、その軸線の延長線ｆと、主案内筒１２の先端１２ｂと支承ピン１３の先端１３ａとを結ぶ線分ｂ’とが交差するようにハンドル部１１を形成している。したがって、握り部１１ｂを押し出した場合の押出力が主案内筒１２の先端１２ｂと支承ピン１３の先端１３ａとを結ぶ線分ｂ’の範囲内で作用するため、主案内筒１２及び支承ピン１３が確実に固定できて操作しやすい利点がある。主案内筒１２は、ガイドピンＰが挿通できる貫通穴１２ａを有する中空状をなしており、先端部は先細であって、その先端１２ｂは、図３に示すように、ギザギザ状の刻み目が形成されている。
【００２０】
前記主案内筒１２の側面には、支承ピン１３が設けられており、図４に示すように、該支承ピン１３と該主案内筒１２とは所定の支承ピン分岐角度αをもって形成されている。通常、ガイドピンＰの刺入方向ｃと大腿骨Ｆの軸ｄとがなすガイドピン刺入角度βは、１２５度〜１４５度である。また、大腿骨Ｆの側面ｅは大腿骨Ｆの軸ｄとほぼ平行である。したがって、該支承ピン１３は、該支承ピン１３の軸線ａと該支承ピン１３の先端１３ａと主案内筒１２の先端１２ｂとを結ぶ線ｂとがほぼ直交するように構成される。このように本実施例においては、該支承ピン１３と該主案内筒１２とがなす支承ピン分岐角度αは４０度に設計されており、そうするとガイドピン刺入角度βは１３０度となり、支承ピン１３は、主案内筒１２における支承ピン１３の取付位置１３ｂと主案内筒１２の先端１２ｂと支承ピン１３の先端１３ａとがなす三角形において、主案内筒１２の先端１２ｂと支承ピン１３の先端１３ａとを結ぶ線ｂと主案内筒１２とにより挟まれる角度γは５０度であり、主案内筒１２の先端１２ｂと支承ピン１３の先端１３ａとを結ぶ線ｂと支承ピン１３とにより挟まれる角度δは９０度であるが、角度γ及び角度δはともに９０度以下の範囲に構成されていればよい。
【００２１】
本実施例におけるガイドピン案内治具１０は、上記のように構成したことにより、図４及び図５に示すように、主案内筒１２の先端１２ｂと支承ピン１３の先端１３ａとを大腿骨の適切な位置にあてがうことによって、主案内筒１２は支承ピン１３により大腿骨Ｆの軸ｄに対して１３０度の角度をもって骨頭方向に維持され、主案内筒１２に挿入されたガイドピンＰが骨頭方向へ刺入されれることになる。このように、本実施例に係るガイドピン案内治具１０を使用すれば、最大でも主案内筒１２から支承ピン１３までを切開するだけの手術でガイドピンＰを骨内に刺入することが可能となる。また、支承ピン１３及び主案内筒１２は大腿骨に点接触しているだけであるため、術中にガイドピンＰの刺入方向を変更する必要が生じても、支承ピン１３及び主案内筒１２の大腿骨に対する当接位置を容易に変えることが可能である。さらにまた、主案内筒１２の先端１２ｂに刻み目が形成されているため、大腿骨に対する主案内筒１２の先端１２ｂが点接触であっても滑ることがなく、十分に固定維持される。
【００２２】
なお、図６及び図７は、本実施例における主案内筒１２の先端１２ｂの変更例であって、主案内筒１２の先端１２ｂに突出爪１２ｃを形成したものである。このように主案内筒の１２の先端１２ｂに突出爪１２ｃを形成した場合には、仮に主案内筒１２の先端１２ｂと大腿骨Ｆとの間に隙間が生ずることがあっても、該突出爪１２ｃが大腿骨Ｆに対してストッパ的役割を果たすと共に、ガイドピン案内治具１０に挿通されるガイドピンＰの先端が屈曲して隙間から抜け出したり跳ね上がることを防止することができる。なお、この突出爪の構成は、後述する実施例２における主案内筒及び副案内筒に形成してもよく、その場合には主案内筒及び副案内筒について上記と同様の効果を果たす。
【実施例２】
【００２３】
図８は本実施例に係るガイドピン案内治具の斜視図であり、図９は副案内筒を装着した状態における当該ガイドピン案内治具の主要部の断面図であり、図１０は主案内筒及び副案内筒の先端部の拡大斜視図であり、図１１は当該ガイドピン案内治具の使用状態を示す側面図であり、図１２は当該ガイドピン案内治具の使用状態をハンドル部側から見た概略斜視図である。
【００２４】
上記した実施例１はガイドピンを１本刺入する場合の案内治具であるが、本実施例はガイドピンを２本刺入する場合の案内治具である。
【００２５】
図８及び図９において、２０はガイドピン案内治具であり、ハンドル部２１の先端部２１ａにガイドピン挿入用の主案内筒２２が設けられている。ハンドル部２１は、握りやすさ及び操作のしやすさを考慮し、屈曲させたり、また、捻れさせたりして主案内筒２２に結合されている。本実施例におけるハンドル部２１は、その先端部２１ａから９０度捻れながら屈曲させて握り部２１ｄを形成した形状をなしている。前記握り部２１ｄは、その軸線の延長線ｆと、主案内筒２２の先端２２ｂと支承ピン２３の先端２３ａとを結ぶ線分ｂ’とが交差するようにハンドル部２１を形成している。したがって、握り部２１ｄを押し出した場合の押出力が主案内筒２２の先端２２ｂと支承ピン２３の先端２３ａとを結ぶ線分ｂ’の範囲内で作用するため、主案内筒２２及び支承ピン２３が確実に固定できて操作しやすい利点がある。主案内筒２２は、ハンドル部先端部２１ａに固定された固定筒２２ｃと、固定筒２２ｃの先に位置し、固定筒２２ｃの内部から直線状に出入する摺動筒２２ｄとから構成され、固定筒２２ｃの内部にはスプリング２２ｅが挿入されていて、該摺動端２２ｄは固定筒２２ｃに対して該スプリング２２ｅにより弾性的に進退可能に形成されている。さらに主案内筒２２を構成する固定筒２２ｃ及び摺動筒２２ｄは、ガイドピンＰが挿通できる貫通穴２２ａを有する中空状をなしており、先端部は先細であって、その先端２２ｂは、図１０に示すように、ギザギザ状の刻み目が形成されている。
【００２６】
前記主案内筒２２を構成する摺動筒２２ｄの側面には、支承ピン２３が設けられており、図１１に示すように、該支承ピン２３と該摺動筒２２ｄとは所定の支承ピン分岐角度αをもって形成されている。通常、ガイドピンＰの刺入方向ｃと大腿骨Ｆの軸ｄとがなすガイドピン刺入角度βは、１２５度〜１４５度である。また、大腿骨Ｆの側面ｅは大腿骨Ｆの軸ｄとほぼ平行である。したがって、該支承ピン２３は、該支承ピン２３の軸線ａと該支承ピン２３の先端２３ａと主案内筒２２の先端２２ｂとを結ぶ線ｂとがほぼ直交するように構成される。そこで、本実施例においては、該支承ピン２３と該主案内筒２２とがなす支承ピン分岐角度αは４０度に設計しており、そうするとガイドピン刺入角度βは１３０度となり、支承ピン２３は、主案内筒２２における支承ピン２３の取付位置２３ｂと主案内筒２２の先端２２ｂと支承ピン２３の先端２３ａとがなす三角形において、主案内筒２２の先端２２ｂと支承ピン２３の先端２３ａとを結ぶ線ｂと主案内筒２２とにより挟まれる角度γは５０度であり、主案内筒２２の先端２２ｂと支承ピン２３の先端２３ａとを結ぶ線ｂと支承ピン２３とにより挟まれる角度δは９０度であるが、角度γ及び角度δはともに９０度以下の範囲に構成されていればよい。
【００２７】
また、本実施例においては、２本目のガイドピンＰを骨内に刺入することができるように、主案内筒２２に対して平行に配置され、ガイドピンＰが挿通可能な貫通穴２４ａを有する副案内筒２４をハンドル部先端部２１ａに着脱自在に設けている。すなわち、ハンドル部２１の先端部２１ａの２個所に、主案内筒２２の方向と平行な中心軸で同一の穴径のネジ穴２１ｂ、２１ｃが形成されており、副案内筒２４の基部２４ｂには前記ネジ穴２１ｂ、２１ｃに螺合するネジ山が螺刻されている。このように構成することにより、前記ネジ穴２１ｂ、２１ｃに副案内筒２４を挿通して螺合すれば、副案内筒２４は主案内筒２２と平行に配置固定されることになる。なお、ネジ穴を２個所設けたのは、副案内筒２４の挿入方向及び挿入位置を適宜選択できるようにして、ガイドピンＰが適切な方向及び位置に刺入することができるようしたためである。
【００２８】
そして、前述したように、主案内筒２２の摺動筒２２ｄが、スプリング２２ｅにより、前進方向への付勢力を保持しつつ後退可能に構成されているので、ハンドル部２１の先端から主案内筒２２の先端が大腿骨Ｆに当接するまでの距離と副案内筒２４の先端が大腿骨Ｆに当接するまでの距離とが異なっても、主案内筒２２を押し込んで摺動筒２２ｄを後退させることにより主案内筒２２と副案内筒２４との両方の先端２２ｂ、２４ｃを大腿骨Ｆに当接させることが可能となり、ガイドピンＰの骨内刺入に効果的である。
【００２９】
本実施例におけるガイドピン案内治具２０は、上記のように構成したことにより、図１１及び図１２に示すように、主案内筒２２の先端２２ｂと支承ピン２３の先端２３ａとを大腿骨の適切な位置にあてがうことによって、主案内筒２２は支承ピン２３により大腿骨Ｆの軸ｄに対して１３０度の角度をもって骨頭方向に維持され、主案内筒２２に挿入されたガイドピンＰが骨頭方向へ刺入されることになる。このように、本実施例に係るガイドピン案内治具２０を使用すれば、最大でも主案内筒２２及び副案内筒２４から支承ピン２３までを切開するだけの手術で２本のガイドピンＰを骨内に刺入することが可能となる。また、支承ピン２３及び主案内筒２２は大腿骨に点接触しているだけであるため、術中にガイドピンＰの刺入方向を変更する必要が生じても、支承ピン２３及び主案内筒２２の大腿骨に対する当接位置を容易に変えることが可能である。さらにまた、主案内筒２２の先端２２ｂ及び副案内筒２４の先端２４ｃに刻み目が形成されているため、大腿骨に対する主案内筒２２の先端２２ｂが点接触であっても滑ることがなく、十分に固定維持される。
【図面の簡単な説明】
【００３０】
【図１】実施例１に係るガイドピン案内治具の斜視図である。
【図２】実施例１に係るガイドピン案内治具の主要部の断面図である。
【図３】実施例１に係るガイドピン案内治具の主案内筒の先端部拡大斜視図である。
【図４】実施例１に係るガイドピン案内治具の使用状態を示す側面図である。
【図５】実施例１に係るガイドピン案内治具の使用状態をハンドル部側から見た概略斜視図図である。
【図６】実施例１に係るガイドピン案内治具の主案内筒の先端の変更例を示す部分拡大斜視図である。
【図７】実施例１に係るガイドピン案内治具の主案内筒の先端の変更例を示す部分拡大側面図である。
【図８】実施例２に係るガイドピン案内治具の斜視図である。
【図９】実施例２に係るガイドピン案内治具の副案内筒を装着した状態におけるガイドピン案内治具の主要部の断面図である。
【図１０】実施例２に係るガイドピン案内治具の先端部の拡大斜視図である。
【図１１】実施例２に係るガイドピン案内治具の使用状態を示す側面図である。
【図１２】実施例２に係るガイドピン案内治具の使用状態をハンドル部側から見た概略斜視図である。
【符号の説明】
【００３１】
１０・・・ガイドピン案内治具
１１・・・ハンドル部
１１ａ・・ハンドル部の先端部
１１ｂ・・ハンドル部の握り部
１２・・・主案内筒
１２ａ・・主案内筒の貫通穴
１２ｂ・・主案内筒の先端
１２ｃ・・主案内筒の先端の突出爪
１３・・・支承ピン
１３ａ・・支承ピンの先端
１３ｂ・・主案内筒における支承ピンの取付位置
Ｆ・・・・大腿骨
Ｐ・・・・ガイドピン
α・・・・支承ピン分岐角度
β・・・・ガイドピン差し込み角度
γ・・・・主案内筒の先端と支承ピンの先端とを結ぶ線と主案内筒とにより挟まれる角度
δ・・・・主案内筒の先端と支承ピンの先端とを結ぶ線と支承ピンとにより挟まれる角度
ａ・・・・支承ピンの軸線
ｂ・・・・支承ピンの先端と主案内筒の先端とを結ぶ線
ｂ’・・・支承ピンの先端と主案内筒の先端とを結ぶ線分
ｃ・・・・ガイドピンの差し込み方向
ｄ・・・・大腿骨の軸
ｅ・・・・大腿骨の側面
ｆ・・・・握り部の軸線の延長線
２０・・・ガイドピン案内治具
２１・・・ハンドル部
２１ａ・・ハンドル部の先端部
２１ｂ・・ネジ穴
２１ｃ・・ネジ穴
２１ｄ・・ハンドル部の握り部
２２・・・主案内筒
２２ａ・・主案内筒の貫通穴
２２ｂ・・主案内筒の先端
２２ｃ・・主案内筒の固定筒
２２ｄ・・主案内筒の摺動筒
２２ｅ・・スプリング
２３・・・支承ピン
２３ａ・・支承ピンの先端
２３ｂ・・主案内筒における支承ピンの取付位置
２４・・・副案内筒
２４ａ・・副案内筒の貫通穴
２４ｂ・・副案内筒の基部
２４ｃ・・副案内筒の先端
【図１】
2008093055.tif 000003
【図２】
2008093055.tif 000004
【図３】
2008093055.tif 000005
【図４】
2008093055.tif 000006
【図５】
2008093055.tif 000007
【図６】
2008093055.tif 000008
【図７】
2008093055.tif 000009
【図８】
2008093055.tif 000010
【図９】
2008093055.tif 000011
【図１０】
2008093055.tif 000012
【図１１】
2008093055.tif 000013
【図１２】
2008093055.tif 000014